(57)【要約】【課題】  本申込書の他に、複写式の保証会社控と、貸主様控と、入居者様控が存在することが一目瞭然であり、かつ、これらのページを捲る操作が容易な保証契約書の提供。【解決手段】  本申込書１と、保証会社控２と、貸主様控３と、入居者様控４とで構成され、保証会社控２と、貸主様控３と、入居者様控４は本申込書１の複写式であり、本申込書１の用紙は縦長のＡ４サイズで、保証会社控２と、貸主様控３と、入居者様控４の用紙は横長のＡ３サイズ以内で、右半分にはそれぞれ保証契約条項２ａ、３ａ、４ａが記載され、貸主様控３はその長手方向長さが入居者様控４より僅かに短く、保証会社控２はその長手方向長さが貸主様控３より僅かに短く形成され、保険会社控２と、貸主様控３と、入居者様控４の右端に縦書きでそれぞれ保険会社控、貸主様控、入居者様控の文字が印刷されている。【選択図】      図１
0003196864.tif 000002
【実用新案登録請求の範囲】
【請求項１】
本申込書と、保証会社控と、貸主様控と、入居者様控とで構成され、
前記保証会社控と、貸主様控と、入居者様控は本申込書の複写式であり、
前記本申込書の用紙は縦長のＡ４サイズで、
前記保証会社控と、貸主様控と、入居者様控の用紙は横長のＡ３サイズ以内で、右半分にはそれぞれ保証契約条項が記載され、
前記貸主様控はその長手方向長さが入居者様控より僅かに短く、保証会社控はその長手方向長さが貸主様控より僅かに短く形成され、
前記保険会社控と、貸主様控と、入居者様控の右端に縦書きでそれぞれ保険会社控、貸主様控、入居者様控の文字が印刷されていることを特徴とする保証契約書。
【請求項２】
請求項１記載の保証契約書において、上から本申込書、保証会社控、貸主様控、入居者様控の順で重ねられ、左端縁部で綴じられていることを特徴とする保証契約書。
【考案の詳細な説明】
【技術分野】
【０００１】
本考案は、家賃保証サービスにおける滞納家賃保証等の保証契約書に関する。
【背景技術】
【０００２】
従来、保証契約書としては、Ａ４サイズの本申込書と、保証会社控と、貸主様控と、入居者様控とで構成され、保証会社控と、貸主様控と、入居者様控は本申込書の複写式になっている。（例えば、特許文献１、２参照。）。
また、上記の保証会社控と、貸主様控と、入居者様控は横長のＡ３サイズで、右半分にはそれぞれ保証契約条項が記載されている。
【先行技術文献】
【特許文献】
【０００３】
【特許文献１】実開昭６２−６５２６７号公報
【特許文献２】特開２０１０−８９３１４号公報
【考案の概要】
【考案が解決しようとする課題】
【０００４】
しかしながら、従来例の保証契約書にあっては、保証会社控と、貸主様控と、入居者様控の大きさが同じであるため、３枚がきれいに重なっており、このため、複写紙部分のページを捲りにくく、複写紙ページの内容や枚数がわかりにくいという問題があった。
【０００５】
本考案の解決しようとする課題は、本申込書の他に、複写式の保証会社控と、貸主様控と、入居者様控が存在することが一目瞭然であり、かつ、これらのページを捲る操作が容易な保証契約書を提供することにある。
【課題を解決するための手段】
【０００６】
上記課題を解決するため請求項１記載の保証契約書は、本申込書と、保証会社控と、貸主様控と、入居者様控とで構成され、
前記保証会社控と、貸主様控と、入居者様控は本申込書の複写式であり、
前記本申込書の用紙は縦長のＡ４サイズで、
前記保証会社控と、貸主様控と、入居者様控の用紙は横長のＡ３サイズ以内で、右半分にはそれぞれ保証契約条項が記載され、
前記貸主様控はその長手方向長さが入居者様控より僅かに短く、保証会社控はその長手方向長さが貸主様控より僅かに短く形成され、
前記保険会社控と、貸主様控と、入居者様控の右端に縦書きでそれぞれ保険会社控、貸主様控、入居者様控の文字が印刷されていることを特徴とする手段とした。
【０００７】
請求項２記載の保証契約書は、上から本申込書、保証会社控、貸主様控、入居者様控の順で重ねられ、左端縁部で綴じられていることを特徴とする手段とした。
【考案の効果】
【０００８】
請求項１記載の保証契約書では、上述のように、入居者様控はその長手方向長さが入居者様控より僅かに短く、保証会社控はその長手方向長さが貸主様控より僅かに短く形成され、保険会社控と、貸主様控と、入居者様控の右端に縦書きでそれぞれ保険会社控、貸主様控、入居者様控の印刷が施されている構成としたことで、本申込書の他に、複写式の保証会社控と、貸主様控と、入居者様控が存在することが一目瞭然であり、かつ、これらのページを捲る操作が容易になるという効果が得られる。
【図面の簡単な説明】
【０００９】
【図１】実施例１の保証契約書を示す平面図である。
【図２】実施例１の保証契約書を示す分解図である。
【考案を実施するための形態】
【００１０】
以下にこの考案の実施例を説明する。
【実施例１】
【００１１】
まず、この実施例１の保証契約書を図面に基づいて説明する。
なお、この実施例１では、滞納家賃保証業務契約において用いられる保証契約書について説明する。
この保証契約書は、図１、２に示すように、本申込書１と、保証会社控２と、貸主様控３と、入居者様控４とで構成されている。
【００１２】
さらに詳述すると、前記保証会社控２と、貸主様控３と、入居者様控４は本申込書１の複写式であり、上から本申込書１、保証会社控２、貸主様控３、入居者様控４の順で重ねられ、左端縁部で綴じられている。
また、前記本申込書１の用紙は縦長のＡ４サイズで、前記保証会社控２と、貸主様控３と、入居者様控４の用紙は横長のＡ３サイズ以内で、右半分にはそれぞれ保証契約条項２ａ、３ａ、４ａが記載されている。
【００１３】
また、前記貸主様控３はその長手方向長さが入居者様控４より僅かに短く、保証会社控２はその長手方向長さが貸主様控３より僅かに短く形成され、保険会社控１と、貸主様控２と、入居者様控３の右端に縦書きでそれぞれ「保険会社控」、「貸主様控」、「入居者様控」の文字が印刷されている。
【００１４】
次に、この実施例１の効果を説明する。
この実施例１の保証契約書では、上述のように、申込書１の用紙は縦長のＡ４サイズで、保証会社控２と、貸主様控３と、入居者様控４の用紙は横長のＡ３サイズ以内で、右半分にはそれぞれ保証契約条項２ａ、３ａ、４ａが記載され、貸主様控３はその長手方向長さが入居者様控４より僅かに短く、保証会社控２はその長手方向長さが貸主様控３より僅かに短く形成され、保険会社控１と、貸主様控２と、入居者様控３の右端に縦書きでそれぞれ「保険会社控」、「貸主様控」、「入居者様控」の文字が印刷された構成とすることで、本申込書の他に、複写式の保証会社控と、貸主様控と、入居者様控が存在することが一目瞭然であり、かつ、これらのページを捲る操作が容易になるという効果が得られる。
【００１５】
以上本実施例を説明してきたが、本考案は上述の実施例に限られるものではなく、本考案の要旨を逸脱しない範囲の設計変更等があっても、本考案に含まれる。
【００１６】
例えば、実施例では、滞納家賃保証業務契約において用いられる保証契約書を例にとって説明したが、その他全ての保証契約書に適用することができる。
【符号の説明】
【００１７】
１  本申込書
２  保証会社控
２ａ  保証契約条項
３  貸主様控
３ａ  保証契約条項
４  入居者様控
４ａ  保証契約条項
【図１】
0003196864.tif 000003
【図２】
0003196864.tif 000004